(57)【要約】【課題】設計、製造が容易で、組付けが容易なレジスタであり、さらに意匠性が良好なバレル型の空調用レジスタを提供することにある。【解決手段】空調用レジスタ１は、リテーナ本体１０と、リテーナ本体１０に軸支される第１バレル２０と、第１バレル２０に、リテーナ本体１０に軸支された第１バレル２０の軸支の方向と異なる方向で軸支される第２バレル３０からなり、第１バレル２０に設けられた軸部２２に摺動し摺動抵抗を得るための第１シム部材２８と、第２バレル３０に設けられた軸部３２に摺動し摺動抵抗を得るための第２シム部材３８とを有している。【選択図】図１
2013154735.tif 000002
【特許請求の範囲】
【請求項１】
リテーナ本体と、
前記リテーナ本体に軸支される第１バレルと、
前記第１バレルに、前記リテーナ本体に軸支された前記第１バレルの軸支の方向と異なる方向で軸支される第２バレルからなり、
前記リテーナ本体と前記第１バレルのいずれかに設けられた軸部に摺動し摺動抵抗を得るための第１シム部材と、
前記第１バレルと第２バレルのいずれかに設けられた軸部に摺動し摺動抵抗を得るための第２シム部材とを有することを特徴とする空調用レジスタ。
【請求項２】
前記リテーナ本体と前記第１バレルを軸支する軸部は、第１バレルの外周面に設けられていることを特徴とする請求項１に記載の空調用レジスタ。
【請求項３】
前記第１バレルと第２バレルを軸支する軸部は、第２バレルの外周面に設けられていることを特徴とする請求項１又は請求項２に記載の空調用レジスタ。
【発明の詳細な説明】
【技術分野】
【０００１】
本発明は、自動車等の車両の車室内換気用エア吹出口を形成する空調装置の空調用レジスタに関し、バレル構造のレジスタ構造に関するものである。
【背景技術】
【０００２】
従来の球形レジスタ（図３参照）では、レジスタケース５１の球状内周の全面にフエルト等の摩擦抵抗材５９を貼ることでレジスタ本体５４の摺動抵抗の管理をしているので、レジスタケース５１の球状内周に摩擦抵抗材５９を貼る作業が困難で、その作業に長い時間がかかり球形レジスタの製造コストの上昇を招いていた。
また、レジスタケースの球状内周の全面に摩擦抵抗材５９を貼っているので、その使用量が多くなり、このことも球形レジスタの製造コストの上昇要因となっている。
更に、レジスタケース５１の球状内周の全面に摩擦抵抗材を貼ることで、レジスタ本体５４の摺動抵抗を管理しているので、その管理面積が大きくなり容易に摺動抵抗の管理ができ難いという問題もある。
【０００３】
そのため、このような問題を解決するためになされたもので、製造コストの低減を図りつつ容易にレジスタ本体の摺動抵抗を管理できる球形レジスタを提供するものとして、２つ割りのレジスタケース内に摺動自在に球状のレジスタ本体を組付け、このレジスタ本体を摺動させることでレジスタケース内に送風されるエアの吹出し方向を調整する球形レジスタにおいて、レジスタケースには、エアの送風方向に延びる長孔が形成され、レジスタ本体には、長孔を貫通してレジスタケースに回転、及び送風方向への摺動を自在として軸支された軸部を設け、レジスタケースから突出する軸部には、レジスタケースに対する回転が規制され、所望の回転力でレジスタ本体を回転させうる程度に圧入される軸受と、軸受で前記レジスタケースに押し付けられ、送風方向への所望の摺動力でレジスタ本体を摺動させる摩擦抵抗材とを設けたものがある。（特許文献１）
【０００４】
これにより、各軸受の各軸部に対する圧入代を調整するだけで、レジスタ本体の回転の際に各軸部と各軸受との間で発生する摺動抵抗を容易に管理でき、この摺動抵抗に打ち勝つ所望の回転力の作用でレジスタ本体を回転させることができる。しかも、摩擦抵抗材を軸受で押し付けるようにすると、レジスタ本体のエアの送風方向への摺動の際に摩擦抵抗材とレジスタケースとの間で発生する摺動抵抗を容易に管理でき、この摺動抵抗に打ち勝つ所望の摺動力の作用でレジスタ本体を摺動させることができる。
【先行技術文献】
【特許文献】
【０００５】
【特許文献１】特開平１０−２８７１２６号公報
【発明の概要】
【発明が解決しようとする課題】
【０００６】
しかし、上記のような構成でも球形レジスタでは、球形のレジスタ本体の真円度が問題となり摺動抵抗が一定しないなどの問題が発生する。すなわち、レジスタ本体とその外側で接するレジスタケースは二次曲面を有するため、２方向に対する成形精度が求められ、さらに、経年変化を考慮した設計を行う必要があるため、部品の成形精度がよく耐久性の良いものを使用する必要があり、全体として高価なものとなっていた。
また、球形レジスタではインストルメントパネルの意匠に応じた形状変更はほとんど行うことができず、意匠性を考慮した設計を行うことはできなかった。
【０００７】
本発明の目的は、このような問題点に着目してなされたものであり、設計、製造及び製造管理が容易で、組付けが容易なレジスタであり、さらに意匠性が良好なバレル型の空調用レジスタを提供することにある。
【課題を解決するための手段】
【０００８】
本発明の請求項１に記載の発明は、リテーナ本体と、リテーナ本体に軸支される第１バレルと、第１バレルに、リテーナ本体に軸支された第１バレルの軸支の方向と異なる方向で軸支される第２バレルからなり、レテーナ本体と第１バレルのいずれかに設けられた軸部に摺動し摺動抵抗を得るための第１シム部材と、第１バレルと第２バレルのいずれかに設けられた軸部に摺動し摺動抵抗を得るための第２シム部材とを有する。
【０００９】
上記構成により、本発明の空調用レジスタはそれぞれの軸を中心とした各バレルの回転形状を考慮した形状に成形すればよくその成形品の設計、製造及び製造管理が容易であり、安価部品で製造することができる。また、各バレルの摺動抵抗は、各軸部に設けられた第１シム部材、第２シム部材により調整されており、各軸方向の摺動抵抗が独立に調整することができ結果として製造管理が容易な空調用レジスタが安価に想像することができる。
【００１０】
本発明の請求項２に記載の発明は、リテーナ本体と第１バレルを軸支する軸部は、第１バレルの外周面に設けられている。
上記構成により、本発明の空調用レジスタは第１バレルの外周面に突出する軸部が形成されているので、第１バレルの金型構造が簡単で、安価に製造することができる。
【００１１】
本発明の請求項３に記載の発明は、第１バレルと第２バレルを軸支する軸部は、第２バレルの外周面に設けられている。
上記構成により、本発明の空調用レジスタは第２バレルの外周面に突出する軸部が形成されているので、第２バレルの金型構造が簡単で、安価に製造することができる。
【発明の効果】
【００１２】
本発明の空調用レジスタは、設計、製造が容易で、組付けが容易なレジスタであり、さらに意匠性が良好なバレル型の空調用レジスタを得ることができる。
【図面の簡単な説明】
【００１３】
【図１】本発明に係る空調用レジスタの構成部品を示す分解斜視図である。（実施例１）
【図２】本発明に係る空調用レジスタの構成部品を示す分解斜視図である。（実施例２）
【図３】従来技術の球形レジスタの構成部品を示す分解斜視図である。
【発明を実施するための形態】
【００１４】
以下に本発明の実施形態の実施例１の空調用レジスタを示す。
【実施例１】
【００１５】
図１は、本発明に空調用レジスタの構成部品を示す分解斜視図である。
この空調用レジスタ１は、車両のインストルメントパネルの中央及び、両サイドに配置され運転手、助手席の乗員のエア吹出し口とし機能するものであり、車両乗員の操作により、吹出しの方向調整するものである。
この空調用レジスタ１は、インストルメントパネルの前面側に設けられる意匠部品としてのベゼル４０と、インストルメントパネルに取付けるための取付部１６を有するリテーナ本体１０と、このリテーナ本体１０内に軸支される第１バレル２０、第２バレル３０より構成されている。これらの部材は、樹脂材料で構成されており、射出成形により製造される。
【００１６】
ベゼル４０は、インストルメントパネルの前面側に設けられる意匠部品であり、ベゼル４０の裏面側に設けられるクリップ取付座に組付けられたクリップ（図示せず）により、リテーナ本体１０に組付けられるようになっている。
ベゼル４０の中央部は、リテーナ本体１０及び該リテーナ本体１０の内部に軸支される第１バレル２０、第２バレル３０が配置される略円筒状の空間部が形成されており、この円筒状の空間部は、この空調用レジスタ１のエア吹出し流路の一部を形成する。
【００１７】
第１バレル２０は、その内部に略筒状の空間を有し、この内部に第２バレル３０が軸支される。この第２バレル３０の内部には、ハニカム形状のフィン部３６が形成されている。このハニカム形状のフィン部３６は、内部を流れる空気を整流し、第１バレル２０、第２バレル３０により方向が調整された時、吹出し方向調整する機能を有している。第２バレル３０の上下面には、一対の軸部３２が形成されており、一端側の軸部３２に摺動して摺動抵抗得るための第２シム部材３８が配置される。本実施例では、下側に第２シム部材３８が配置され、第１バレル２０の下側面の内側には、この第２シム部材３８の四角形の形状に合わせた穴部が形成され、軸部３２が回転しても同時に回転しないようになっている。さらに、第１バレル２０の上下面には、軸穴２４が形成されており、第２バレルの軸部３２が第２シム部材３８とともに、第１バレル前面側より樹脂の弾性を利用し挿入され、軸穴２４に軸部３２が軸支される。
【００１８】
リテーナ本体１０は、その略筒状の空間を有し、この内部に第２バレル３０が軸支された第１バレル２０が挿入され軸支される。この第１バレルの左右には一対の軸部２２が形成されており、一端側の軸部２２に摺動して摺動抵抗を得るための第１シム部材２８が配置される。本実施例では、向かって左側に第１シム部材２８が配置され、リテーナ本体１０の左側側面の内側には、この第１シム部材２８の四角形の形状に合わせた穴部（図示せず）が形成され、軸部２２が回転しても同時に回転しないようになっている。さらに、リテーナ本体１０の左右側面には、第１バレル２０の軸部２２が挿入される一対の軸穴１４が形成されており、リテーナ本体１０の前面側より樹脂の弾性を利用して挿入され、軸穴１４に軸部２２が軸支される。なお、第１シム部材２８及び第２シム部材３８は、ゴム系やエラストマー等の摩擦材より構成されている。
【００１９】
リテーナ本体１０の外周面の上下面には、インストルメントパネルに取付けるための取付部１６が４箇所設けられており、タッピングスクリュウによりインストルメントパネルに取付けられるようになっている。
【００２０】
リテーナ本体１０、第１バレル２０、第２バレル３０は、軸支された方向に応じ側面及び上下面の形状が設計されている。すなわち、第１バレル２０の上下の軸部３２及び、第１バレルの軸穴２４により、第１バレル２０が軸支されているため、第１バレル２０の内側側面及び、第２バレル３０の外側側面は、軸を中心とした第２バレル３０の回転形状に合せ曲面形状に設計されている。これは、空調ダクトより供給された空気が、第１バレル２０と第２バレルの隙間（特に第２バレル３０を回転させたときにできる隙間）をできるだけ少なくすることにより、隙間からの空気の通り抜けを少なくし、メインの空気の流れを阻害しないように設計されている。また、同様に第１バレル２０とリテーナ本体１０の隙間に関しても、第１バレル２０の左右の軸部２２及び、リテーナ本体１０の軸穴２４により軸支されているため、第１バレル２０の外側上下面及び、リテーナ本体１０の内側上下面は、軸部２２を中心とした第１バレルの回転形状に合せ曲面形状に設計されている。
【００２１】
このように、軸支された方向と直行する方向の上下面又は、側面のみの形状を軸の回転形状に合わせた曲面形状に設計することにより、射出成形による製造及び製造管理が容易な形状とすることができる。また、軸部２２、軸部３２の少なくとも一端のみに摺動して摺動抵抗を調整する第１シム部材２８、第２シム部材３８を設ける構成となっているため、構成が簡単で、摺動抵抗の経年変化も少ない、安定的な製品を得ることができる。
【００２２】
次に、上記構成の組付け手順について、簡単に説明する。
はじめに、第１バレル２０内に、第２バレル３０を第２シム部材３８と共に前面側から組付ける。この時、第１バレル２０を樹脂の弾性を利用し若干変形させながら組付けることになる。この組付けを容易にするために、第１バレル２０の軸穴２４に繋がる、テーパー状の導入溝を形成しても良い。
【００２３】
次に、第２バレル３０が組付けられた第１バレル２０を、リテーナ本体１０の前面より組付ける。この時、リテーナ本体１０を樹脂の弾性を利用し若干変形させながら組付けることになる。この組付けを容易にするために、リテーナ本体１０の軸穴１４に繋がる、テーパー上の導入溝を形成しても良い。
【００２４】
これら、第１バレル２０、第２バレル３０が組みつけられたリテーナ本体１０を取付部１６にタッピングスクリュを挿入しインストルメントパネルに組付けた後、ベゼル４０をリテーナ本体１０に組付ける。なお、このベゼル４０は、リテーナ本体１０に組付ける構成としたが、インストルメントパネルに組付ける構成としても良い。
【００２５】
次に本発明の実施形態の実施例２の空調用レジスタを示す。
【実施例２】
【００２６】
図２は、本発明に空調用レジスタの構成部品を示す分解斜視図である。
基本的な構成に関しては、実施例１に示した空調用レジスタ変更はない。以下に実施例２で特徴的な事項について、簡単に説明を行う。
この第２実施例（図３）では、第１バレル２０、第２バレル３０、リテーナ本体１０により、空調用レジスタ１が構成されている。なお、第１シム部材、第２シム部材に関しては、図示を省略したが、第１シム部材は向かって右側、第２シム部材は下側の各軸部に摺動抵抗を調整するために組付けられている。
【００２７】
第２バレルの内部（中央）には、略十字状のフィン部３６が設けられている。乗員は、このフィン部３６の内部の十字部を握持して第２バレル３０及び、第１バレル２０の吹出し方向を調整するように形状となっている。この時、軸部２２、軸部３２に組付けられ、摺動する第１シム部材、第２シム部材により摺動抵抗が調整され、十字部を操作したとき、適切な操作力を得ることができると共に、乗員が望む吹出し方向に固定することができる。
【００２８】
本件実施例のリテーナ本体１０、第１バレル２０、第２バレル３０は、略矩形形状を有している。第１バレル２０に設けられた軸部２２に対応して、リテーナ本体１０の内側上下面及び第１バレル２０の外側上下面が軸部２２を中心とした第１バレル２０の回転形状に合わせた曲面形状を有している。また、第２バレル３０に設けられた軸部３２に対応して、第１バレル２０の内側側面及び第２バレル３０の外側側面が軸部３２を中心とした第２バレル３０の回転形状に合わせて曲面形状を有している。そのため軸方向に合わせた一方向のみの面を曲面形状とすることにより、各部材間の隙間をできるだけ少なくするとともに、射出成形による製造及び製造管理が容易な形状とすることができる。
【００２９】
尚、本発明にかかる空調用レジスタは、上記実施例にて例示した構成に限定されるものではなく、これを適宜変更した例えば次のような形態として実施することもできる。
【００３０】
・第１バレル２０、第２バレル３０に設けられる軸部２２、軸部３２は、一体的に形成しているが、別体の軸部材を挿入し固定するような構成としても良い。この場合は、各バレルの組付け時の余裕度（隙間）を少なくすることができ、隙間からの空気の通り抜けが少なくなり、空調用レジスタの送風特性を向上させることができる。
【００３１】
・各バレル形状は、矩形、略円形のものを示したが、意匠性を考慮して、楕円形、多角形、半楕円など形状とすることもでき、インストルメントパネルの意匠にマッチングさせることもでき、より意匠性を向上させることができる。
【産業上の利用可能性】
【００３２】
本件実施例では、車両のインストルメントパネルに設けられる空調用レジスタに適用したもので説明を行ったが、天井やコンソールボックスの後端に設けられる後部座席の乗員に設けられた空調用レジスタに適用することもできる。さらに飛行機や船舶などの空調用レジスタに適用することも可能であり、さらに家庭用のエアーコンデショナーや、家屋に直接取付けられる空調用の吹出口に適用することも可能である。
【符号の説明】
【００３３】
１    空調用レジスタ
１０    リテーナ本体
１４    軸穴
１６    取付部
２０    第１バレル
２２    軸部
２４    軸穴
２８    第１シム部材
３０    第２バレル
３２    軸部
３６    フィン部
３８    第２シム部材
４０    ベゼル
【図１】
2013154735.tif 000003
【図２】
2013154735.tif 000004
【図３】
2013154735.tif 000005